(57)【要約】  【課題】見た目は通常のパンツと変わらず、ヒップアップ効果があり、着用快適性に優れたパンツを提供すること。  【解決手段】身頃表地の内側に、後身頃のヒップ部から脇線を通り前身頃の一部を被う裏地を付設したパンツであって、裏地と表地の間に係止具を介在させ、ウエストベルトと股下、脇縫代に縫着して一体化させる。【選択図】図２
2007204887.tif 000002
【特許請求の範囲】
【請求項１】
表地の内側に、後身頃のヒップ部から脇線を通り前身頃の一部を被う裏地を付設したパンツであって、該表地と裏地はウエストラインと内股部で接合され、かつ脇縫代の一部に係止具を介して縫着または係止することを特徴とするパンツ。
【請求項２】
前身頃の左右のポケット布が脇線から前立て部分まで連続した形で設置されたことを特徴とする請求項１に記載のパンツ。
【請求項３】
前記左右のポケット布が伸縮性の小さい織編物から構成されていることを特徴とする請求項２に記載のパンツ。
【請求項４】
該裏地の左右前面を左右のポケット布に１０〜２０ｃｍ重ね、該裏地の左右前面の端部を該左右のポケット布に縫着したことを特徴とする請求項２または３に記載のパンツ。
【請求項５】
表地または／および裏地がタテまたは／およびヨコ方向に伸縮可能な織編物であることを特徴とする請求項１〜４のいずれかに記載のパンツ。
【請求項６】
表地または／および前記裏地が、一方がポリトリメチレンテレフタレートを主体としたポリエステルである２種類のポリエステル系重合体を繊維長さに沿ってサイドバイサイド型に貼り合わせた複合繊維のマルチフィラメントを、タテ糸およびヨコ糸の少なくとも一方に用いたポリエステル系ストレッチ織物であることを特徴とする請求項１〜５のいずれかに記載のパンツ。
【請求項７】
裏地が少なくとも１ヶ所以上後身頃で接ぎ合わされ、接ぎ合わせには伸度の高い縫目または／および伸度の高いミシン糸を使用することを特徴とする請求項１〜６のいずれかに記載のパンツ。
【請求項８】
裏地に、後身頃のヒップライン下から前身頃に向かい斜め上方に傾斜した帯状のヒップアップ別布を付設したことを特徴とした請求項１〜７のいずれかに記載のパンツ。
【請求項９】
裏地およびヒップアップ別布の伸長率が３０〜２００％、伸長回復率が８０〜１００％の範囲であり、両者の伸長率および伸長回復率のそれぞれがほぼ同等であることを特徴とする請求項１〜８のいずれかに記載のパンツ。
【請求項１０】
裏地に破裂強力が２００〜２６０ｋＰａのサテンネット、ヒップアップ別布に破裂強力が２６１〜３２０ｋＰａのパワーネットを使用したことを特徴とする請求項１〜９のいずれかに記載のパンツ。
【請求項１１】
ヒップアップ別布の巾が、後中心で４〜７ｃｍ、前身頃の端部では５〜１０ｃｍとなるよう漸増させた請求項８〜１０のいずれかに記載のパンツ。
【請求項１２】
裏地の大きさが表地の９９％〜８５％に設定されており、裏地をウエストラインの後中心線から左右夫々れに５〜１０ｃｍ開放して残り部分をウエストラインに表地と縫着したことを特徴とする請求項１〜１０のいずれかに記載のパンツ。
【発明の詳細な説明】
【技術分野】
【０００１】
本発明はヒップサポート効果のあるパンツに関する。
【背景技術】
【０００２】
従来、伸縮性の高いパンツをはくと履き心地は楽で良いが、シルエットがあまりきれいではなかった。特に腹部や尻部を押さえないため、体型が表に出て美観を損なうことも多かった。また、パンツの下にガードルなどの補正下着を着けることにより、体型を整えることは可能であったが、それらは締め付け感が強く着用快適性に劣るものであった。これらの問題を解決するため、昨今、パンツやスカートの裏に伸縮性裏地を縫い付け、体型補整を狙ったものが多く出てきた。
【０００３】
一方、従来の技術として、後身頃の裏にパワーネット生地を縫い付けたズボン（特許文献１参照）、ガードルを内側に吊り下げたパンツやスカート（特許文献２参照）、パンツの内側に補正機能を持つストレッチニット裏地を後身頃や前身頃に様々な形状で縫い付けたパンツ（特許文献３、４、５）等が提案されている。
【特許文献１】実用新案登録第３０９８７０２号公報
【特許文献２】特許第２６７０５６７号公報
【特許文献３】実用新案登録第３０８０３９９号公報
【特許文献４】特開２００３−２６８６０６号公報
【特許文献５】特開２００５−１５９３０号公報
【発明の開示】
【発明が解決しようとする課題】
【０００４】
しかしながら、特許文献１の後身頃の裏にパワーネット生地を縫い付けたズボンは、裏地と表地とがほぼ寸法であるため、ヒップを持ち上げる効果は小さかった。
【０００５】
一方、特許文献２のガードルを内側に吊り下げたパンツやスカートは、締め付けの強い補正下着をつけているのと同じ効果は得られるものの着用中の快適性や着脱のしやすさなどに劣るものであった。また、特許文献３、４、５はＶ字形状のパワーの強いパワーネットを重ねて縫着し、ヒップアップ効果を狙うものであったが、接ぎ合わせあるいは縫着するのに手間がかかり、そのわりには効果が小さいものであった。
【０００６】
また、市場で販売されている補整布付きパンツのうち、後身頃のみ、前身頃のみに裏地を脇で縫着しているものを着用したところ、縫着している箇所が引きつれて、美観を損なうという欠点があった。
【０００７】
そこで、本発明の目的はかかる従来技術の欠点を改良し、見た目も通常のパンツと変わらず、ヒップアップ効果があり、さらに脇部から腹部もシェイプすることのできる着用快適性に優れたパンツを提供することにある。
【課題を解決するための手段】
【０００８】
上記目的を達成するため、本発明のパンツは以下の構成からなる。
【０００９】
（１）表地の内側に、後身頃のヒップ部から脇線を通り前身頃の一部を被う裏地を付設したパンツであって、該表地と裏地はウエストラインと内股部で接合され、かつ脇縫代の一部に係止具を介して縫着または係止したパンツ。
【００１０】
（２）前身頃の左右のポケット布が脇線から前立て部分まで連続した形で設置されたことを特徴とする（１）に記載のパンツ。
【００１１】
（３）前記左右のポケット布が伸縮性のない織編物から構成されていることを特徴とする（２）に記載のパンツ。
【００１２】
（４）該裏地の左右前面を左右のポケット布に１０〜２０ｃｍ重ね、該裏地の左右前面の端部を該左右のポケット布に縫着したことを特徴とする（２）または（３）に記載のパンツ。
【００１３】
（５）表地または／および裏地がタテまたは／およびヨコ方向に伸縮可能な織編物であることを特徴とする（１）〜（４）のいずれかに記載のパンツ。
【００１４】
（６）表地または／および前記裏地が、一方がポリトリメチレンテレフタレートを主体としたポリエステルである２種類のポリエステル系重合体を繊維長さに沿ってサイドバイサイド型に貼り合わせた複合繊維のマルチフィラメントを、タテ糸およびヨコ糸の少なくとも一方に用いたポリエステル系ストレッチ織物であることを特徴とする（１）〜（５）のいずれかに記載のパンツ。
【００１５】
（７）裏地が少なくとも１ヶ所以上後身頃で接ぎ合わされ、接ぎ合わせには伸度の高い縫目または／および伸度の高いミシン糸を使用することを特徴とする（１）〜（６）のいずれかに記載のパンツ。
【００１６】
（８）裏地に、後身頃のヒップライン下から前身頃に向かい斜め上方に傾斜した帯状のヒップアップ別布を付設したことを特徴とした（１）〜（７）のいずれかに記載のパンツ。
【００１７】
（９）裏地およびヒップアップ別布の伸長率が３０〜２００％、伸長回復率が８０〜１００％の範囲であり、両者の伸長率および伸長回復率のそれぞれがほぼ同等であることを特徴とする（１）〜（８）のいずれかに記載のパンツ。
【００１８】
（１０）裏地に破裂強力が２００〜２６０ｋＰａのサテンネット、ヒップアップ別布に破裂強力が２６１〜３２０ｋＰａのパワーネットを使用したことを特徴とする（１）〜（９）のいずれかに記載のパンツ。
【００１９】
（１１）ヒップアップ別布の巾が、後中心で４〜７ｃｍ、前身頃の端部では５〜１０ｃｍとなるよう漸増させた（８）〜（１０）のいずれかに記載のパンツ。
【００２０】
（１２）裏地の大きさが表地の９９％〜８５％に設定されており、裏地をウエストラインの後中心線から左右夫々れに５〜１０ｃｍ開放して残り部分をウエストラインに表地と縫着したことを特徴とする（１）〜（１０）のいずれかに記載のパンツ。
【発明の効果】
【００２１】
本発明により、見た目も通常のパンツと変わらず、ヒップアップ効果があり、さらに脇腹と腹部もシェイプすることのできる着用快適性に優れたパンツを得ることができる。
【発明を実施するための最良の形態】
【００２２】
以下、図面に示す第一〜三の態様を参照しつつ、本発明のパンツを詳細に説明する。
【００２３】
図１は、本発明のパンツの一態様を正面表からみた図であり、図２、図３は、本発明のパンツの一態様を裏返して裏面からみた前身頃と後身頃の図である。図４は股下と前中心縫目を解いたパンツの裏面展開図、図５は図４における係止具部分の断面図であり、係止具１０は前身頃表地及び後身頃表地２とヒップアップ別布８との間に付設されている。図６は右後身頃の型紙上の幅、長さの計測例を示す。図７は前身頃の第二の態様、図８は後身頃の第二の態様を示した図である。また、図９は第三の態様の股下と前中心縫目を解いたパンツの裏面展開図、図１０は第三の態様の後身頃を示した図である。
【００２４】
本発明のパンツは、図２、図３および図４に示すように身頃表地の内側に、後身頃２のヒップ部から脇線４を通り前身頃１の一部を被う裏地３をウエストライン５と内股６で表地と縫着され、なおかつ脇縫代１６の一部に係止具１０を介して表地と接合することにより、臀部を臀溝から上方およびななめ前方に向かって持ち上げることができる。また、本発明のパンツは裏地を後身頃から前身頃にかけて連続した形状で設置することにより、脇部のごろつきを解消し、脇の贅肉も一部引き上げ、サイドラインの締め付け効果も期待することができる。これに対し、裏地をパンツ全周に付設すると補整下着を着用していると同じように窮屈であり、着脱しにくいパンツとなるので好ましくない。また、裏地を後身頃にのみ付設すると、ヒップアップ効果はあるもののサイドラインの締め付け効果は全くなく全体のシルエットの美しさに劣るものとなる。
【００２５】
さらに図４および図５に示すように、裏地３を脇縫代の一部に係止具１０を介して表地に縫着することにより、直接裏地３を表地の脇縫代に縫着する場合に比べて、係止具１０の部分が自由に動くことができるため、縫着箇所のひきつれが発生しない。ここで使用する係止具とは、ひも、面ファスナー、織編物、テープ、ゴムなど線状、面状に縫着できるものであれば素材にはこだわらない。ただし、係止具１０の厚さが２ｍｍ以上になると、着用時に表から係止具１０の存在が顕著にわかるし、また係止具１０が異物となり着用感を損なうものとなることから、厚さは２ｍｍ未満が好ましい。係止具１０の大きさは図５に示す幅Ａを１〜２ｃｍ、図４に示す長さＢを２〜６ｃｍ程度とすることが着用感、サポート効果の点で好ましい。係止具１０の幅は表地と裏地３とのすきまの幅となるため、１ｃｍり狭いと裏地３の動きが少なくなりすぎてひきつれが発生して表にひびくため１ｃｍ以上とするのが好ましい。逆に２ｃｍ超えると裏地３が動きすぎて臀部のサポート感が減少するので２ｃｍ以下が好ましい。一方、係止具１０の長さは表地と裏地３を縫着する長さであり、２ｃｍ未満であると、１点でスポット的に固定されるためその部分がひきつれてしまう。逆に６ｃｍ以上あると裏地３の動きが固定されてしまい係止具の効果は小さくなり、着用感が低下する。これらを鑑みると、本発明で使用する係止具１０は、裏地３と同程度の伸長率、伸長回復率をもった織編物を幅１〜２ｃｍ、長さ２〜６ｃｍのテープ状に裁断して裏地３と表地の間に使用することにより、着用感、サポート感、外観に問題のないパンツを得ることができる。
【００２６】
また第二の態様として、図７に示すように前身頃の左右のポケット布１１を脇線４から前立て部分９まで連続した形で設置し、その上に前記裏地３の左右前面を脇線４から前中心に向かって１０〜２０ｃｍ重ねて縫着したパンツにすると、後身頃のみならず、脇から前身頃にかけてもサポートすることが可能となる。使用するポケット布１１は伸縮性の小さい織編物から構成されていることが好ましい。伸縮性の高い織編物を使用すると、着用した腹部の形状にポケット布１１も変化し、伸ばされるため腹部のサポート効果は望めない。ここでいう伸縮性の小さい織編物とは、具体的にはスレーキや織物裏地などをさし、伸長率が１０％以下のものが好ましい。ポケット布１１は、少なくとも脇線４及び前立て部分９で縫着し、裏地３の左右の前面端部１２を該ポケット布１１に縫着する。裏地３とポケット布１１の重なり部分１３を１０ｃｍより少なくして縫着する、すなわち、裏地３の前面端部１２をポケット口から１０ｃｍ以下の部分でポケット布１１に縫着すると、ポケットに手を入れられなくなる。また２０ｃｍより多く重ねると、サイズ、デザインにより多少異なるが、ほとんど前立て付近まで付設することとなり、前身頃が何重にも重なりって蒸れ、ごろつきなどが発生し、着用快適性に劣る。
【００２７】
本発明のパンツにおいては、表地または／および裏地３がタテまたは／およびヨコ方向に伸縮可能な織編物を使用することにより、着用感、運動機能性、美観全てにおいてさらに顕著な効果を確認することができる。
【００２８】
伸縮可能な織編物としては、綿やウールの天然繊維やレーヨンなどの再生繊維、アクリル系繊維やポリエステル系繊維などの合成繊維などにポリウレタン繊維（弾性繊維）を混用したストレッチ織物等を使用することができる。また、弾性繊維を使用しないで、例えば一方がポリトリメチレンテレフタレート（以下、ＰＰＴと略する）を主体としたポリエステルである２種類のポリエステル系重合体を繊維長さに沿ってサイドバイサイド型に貼り合わせた複合繊維のマルチフィラメントを、タテ糸およびヨコ糸の少なくとも一方に用いたポリエステル系ストレッチ織物を使用してもよい。サイドバイサイド型の複合繊維は、固有粘度や共重合成分、共重合率等が異なる重合体を貼り合わせ、それらの弾性回復特性や収縮特性の差によって、捲縮を発現するものである。固有粘度差を有するサイドバイサイド型複合の場合、紡糸、延伸時に固有粘度の高い方に応力が集中するため、２成分間で内部歪みが異なる。そのため、延伸後の弾性回復率差および織物の熱処理工程での熱収縮率差により固有粘度高い方が大きく収縮し、単繊維内で歪みが生じて３次元コイル捲縮の形態をとる。この３次元コイルの径および単位繊維長当たりのコイル数は、固有粘度が高い成分（高収縮成分）と固有粘度が低い成分（低収縮成分）との収縮差（弾性回復率差を含む）によって決まると言ってもよく、収縮差が大きいほどコイル径が小さく、単位繊維長当たりのコイル数が多くなる。ストレッチ素材として要求されるコイル捲縮は、コイル径が小さく、単位繊維長当たりのコイル数が多い（伸長特性に優れ、見栄えが良い）、コイルの耐へたり性が良い（伸縮回数の応じたコイルのへたり量が小さく、ストレッチ保持性に優れる）、さらにはコイルの伸長回復時におけるヒステリシスロスが小さい（弾発性に優れ、フィット感が良い）等である。これらの要求を全て満足しつつ、ポリエステルとしての特性、例えば適度な張り腰、ドレープ性、高染色堅牢性を有することで、トータルバランスに優れたストレッチ素材とすることができる。この特性を満足させるためには、高収縮成分にＰＰＴを主体としたポリエステルを用いることが好ましい。ＰＰＴとは、テレフタル酸を主たる酸成分とし、１，３−プロパンジオールを主たるグリコール成分として得られるポリエステルである。低収縮成分には、高収縮成分であるＰＰＴとの界面接着性が良好で、製糸性が安定している繊維形成性ポリエステルであれば特に限定されるものではないが、力学的特性、化学的特性および原料価格を考慮すると、繊維形成能のあるポリエチレンテレフタレートが好ましい。
【００２９】
このようにして得られたサイドバイサイド型複合繊維糸条をタテ糸およびヨコ糸の少なくとも一方のストレッチ付与を所望する方向に用いたストレッチ織物を本発明のパンツに使用することにより着用感、運動機能性、美観等に顕著な効果を表す。パンツの表地に使用する場合、タテ方向およびヨコ方向の少なくとも一方の伸長率は、１．５ｋｇ荷重下で１０％以上４０％以下であることが好ましく、伸長回復率は６０％以上あることが着用快適性、型くずれ防止の観点からも好ましい。
かかる伸長率とは、織編地の伸びの程度を表すものであり、この数値が大きい程、パンツを着用した時、体の動きに追従し易く、着脱も容易である。パンツの表地はかかる伸長率が１０％未満であると伸びが少ないため着用時に窮屈で動きにくいという問題があり、反対に４０％以上あると、身体にフィットするが、身体のシルエットが表面に出やすくなり、美観に劣るという問題があった。
【００３０】
かかる伸長回復率とは身体の動きで伸長した生地が、素早く元の状態に戻ろうとする回復程度を表すものであり、この数値が大きい程、パンツを着用した時の型崩れが少なく、着用前後で形態変化を起こしにくい。本発明のパンツにおいて、表地の伸長回復率は６０％以上、より好ましくは８０％以上あることが好ましい。６０％より低いと臀部や膝等の身体の凸部のみ生地が回復しないで表地が伸びた状態になり、美観を損なう。
【００３１】
なお、かかる伸長率はＪＩＳ  Ｌ  １０９６「一般織物生地試験方法」のＡ法（定速伸長法）のストリップ法に基づいて測定されたものである。
【００３２】
すなわち、伸長率の測定方法は次の通りである。５ｃｍ×３０ｃｍの試験片をタテ、ヨコ方向にそれぞれ３枚ずつ採取し、自動記録装置付定速伸長形引張試験機を用い、つかみ間隔を２０ｃｍとし、試験片のたるみや張力を除いてつかみに固定する。引張速度２０ｃｍ／minで１４．７Ｎ（１．５kg）まで伸ばし、その時のつかみ間隔を測り、次の式により伸長率ＬＡ（％）を求め、３枚の平均で表す。
伸長率ＬＡ（％）＝［（Ｌ１−Ｌ）／Ｌ］×１００
Ｌ  ：つかみ間隔（ｍｍ）
Ｌ１：１４．７Ｎまで伸ばした時のつかみ間隔（ｍｍ）。
【００３３】
また、かかる伸長回復率はＪＩＳ  Ｌ  １０９６「一般織物生地試験方法」のＡ法（繰り返し定速伸長法）のストリップ法に基づいて測定されたものである。すなわち、伸長回復率の測定方法は次の通りである。５ｃｍ×３０ｃｍの試験片をタテ、ヨコ方向にそれぞれ３枚ずつ採取し、自動記録装置付定速伸長形引張試験機を用い、つかみ間隔を２０ｃｍとし、試験片のたるみや張力を除いてつかみに固定する。引張速度２０ｃｍ／minで別に求めた伸長率（前項ＬＡ）の値の８０％まで伸ばして、１分放置した後、同じ速度で元の位置まで戻し、３分間放置する。この操作を１０回繰り返した後、再び同じ速度で初荷重以上の荷重まで引き伸ばす。記録した荷重−伸長曲線から残留伸びを測り次式により伸長回復率ＬＢ（％）を求め、３枚の平均で表す。
伸長率ＬＢ（％）＝［（Ｌｂ１−Ｌｂ）／Ｌｂ］×１００
Ｌｂ  ：伸長率ＬＡの８０％の伸びに相当するチャート上の長さ（ｍｍ）
Ｌｂ１：１０回繰り返し伸長後の残留伸びに相当するチャートの長さ（ｍｍ）。
【００３４】
本発明のパンツの表地に使用する素材は紡績糸、フィラメント糸のどちらでも良く、好みにより選択することができる。
【００３５】
本発明のパンツの表地の内側に付設する裏地３の素材は特に限定しないが、寸法安定性や表地とのなじみがよいこと、パンツを着装したときに表から裏地３の存在がわかりにくいこと等を鑑みると、ポリアミド系繊維やポリエステル系繊維などの合成繊維にポリウレタン繊維（弾性繊維）を混用した織編物を使用することが好ましい。また、弾性繊維を使用しないで、ＰＰＴを主体としたポリエステル系ストレッチ織物を使用してもよい。織物の組織は限定しない。編物の場合も編み方は特に限定しないが、ヒップ形状の保型の点から天竺やリブ編よりトリコット編の方が適している。
【００３６】
該裏地３は、タテ方向およびヨコ方向の少なくとも一方の伸長率が１．５ｋｇ荷重下で３０〜２００％、繰り返し１０回伸長後の伸長回復率が８０％〜１００％の織編物を用いることが好ましい。裏地３の伸長率が３０％未満であると、伸びが少ないためパンツ着用時に裏地だけきつく締め付けられるため、着脱しにくいし、着用快適性が劣る。反対に伸長率が２００％を越えると締め付け感およびヒップアップ効果が小さくなる。従って、裏地３のタテ方向およびヨコ方向の少なくとも一方の伸長率は、３０％以上あるものが好ましく、より好ましくは５０％以上、さらに好ましくは７０％以上である。
【００３７】
また、本発明のパンツの裏地３の伸長回復率は８０％から１００％である素材を選択することが好ましい。８０％より低いと着用回数、洗濯回数が増えるにつれて裏地３だけ伸びきって型崩れを起こすとともに締め付け効果は低下していく。
【００３８】
表地の内側に付設した裏地３は、少なくとも１ヶ所以上後身頃で接ぎ合わされ、ヒップの丸みに合わせて立体縫製することが好ましい。立体縫製とはダーツやタックあるいは切り替えなどで平面の生地を身体の線に合わせて立体的に仕上げる方法をいう。ダーツやタックをウエストラインに入れることによりヒップの丸みに合わせた裏地３を付設することはできるが、ダーツやタックは縫代が複数枚重なるため、パンツの表側に段差として現れて美観を損ねるし、着用快適性に劣る。従って本発明においては、ヒップの形状に合うように少なくとも２枚以上に分割した形の裏地３を縫い合わせて立体化した裏地３をパンツに付設することが好ましい。分割した裏地３を縫い合わせる時は伸度の高い縫目とすることが好ましい。例えば千鳥縫いや偏平縫い、オーバーロックや還縫いのように縫目が生地に追随する縫製方法が好ましい。また、縫い合わせに使用する縫糸にポリエステルウーリー糸やナイロンウーリー糸、レジロン糸など伸度の高いミシン糸を使用することも好ましい。伸度の高いミシン糸で伸度の高い縫い目とすることがより好ましい。一方、縫糸を使用しないで、融着する手段を用いて融接合させる手段も伸度を持続させることができる有効な手段でもある。
【００３９】
さらに、表地の内側に付設した裏地３に、後身頃のヒップライン下から前身頃に向かい斜め上方に傾斜した帯状のヒップアップ別布８を付設することにより、ヒップアップおよびサイドの締め付け効果を向上させることができる。なお、付設は縫い付け、接ぎ合わせ、接着、融着など、どのような方法であってもよいが、洗濯耐久性、肌触り、作業性の点から縫い付けが好ましい。なお、ヒップアップ別布８は、図５のように表地と裏地３の間に付設してもよいが、裏地３の内側に付設してもよい。
ヒップアップ別布８に使用する素材は、前述した裏地３と同じ素材群を使用することができる。
【００４０】
裏地３に使用する素材は、破裂強力が２００〜２６０ｋＰａのサテンネット、ヒップアップ別布８には破裂強力が２６１〜３２０ｋＰａのパワーネットを使用することが好ましい。使用する裏地とヒップアップ別布８の伸長率、伸長回復率をほぼ同じにすることが、両者の追随性が向上し、着用時の違和感が低減する上、縫目の破損などの問題が発生しにくくなる点で好ましいが、破裂強力については部分的なサポート効果をより向上させるため、裏地３よりヒップアップ別布８の強力を上げることが好ましい。
【００４１】
なお、かかる破裂強力はＪＩＳ  Ｌ  １０１８「ニット生地試験方法」のＡ法（ミューレン形法）に基づいて測定されたものである。すなわち、１５ｃｍ×１５ｃｍの試験片を５枚採取し、試験片の表を上にして張力を加えずに普通の状態で、ミューレン形破裂試験機のつかみに取り付ける。加圧用油を９８±４ｃｍ３／minの速度で増加させ、ゴム膜が突き破った瞬間に加圧を止めて、その時の圧力を読みとる。引き続き、つかみをゆるめて試験片を取り除いた時の指針の示すゴム膜の圧力を読みとる。下式により破裂強度を算出し、５枚の平均値で表す。
破裂強度（ｋＰａ）＝ａ−ｂ
ａ：ゴム膜が試験片を突き破った時の圧力
ｂ：試験片を取り除いた時のゴム膜の圧力。
【００４２】
ここでいうサテンネットとは経編の一種で、ファンデーション一般、特にソフトガードルに使用される素材で、ネットの目が詰まっておりサテン調の滑らかな風合い、表面の光沢感が特徴である。また、パワーネットも経編の一種ではあるが、編み方が異なり見た目はネット状である。サテンネットよりも強力が高いため、主にブラジャーやボディスーツなど補整下着に使用される。従って、ヒップ形状を崩さず、裏地として必要な滑り性と伸長率をもつサテンネットを本発明の裏地に、臀溝から脇、腹部へのサポートを強化するためにヒップアップ別布８にはパワーネットを使用することが最適である。
【００４３】
ヒップアップ別布８の巾は図３に示すように後中心７で４〜７ｃｍ、前身頃の前面端部では５〜１０ｃｍとなるよう漸増させた形状とすることにより臀溝から脇、腹部にかけての締め付け、持ち上げ効果が向上する。
【００４４】
ヒップアップ別布８の巾はできるだけ広くした方が、サポート効果を高めることにはなるが、例えば１０ｃｍ以上の一定幅で後から前身頃に縫着した場合、臀部の約１／３をヒップアップ別布により締め付けられることになるので、臀部の丸みが崩れやすくなる。反対に狭くして４ｃｍ未満の一定幅で後から前身頃の前面端部に縫着すると臀溝のような細い部分にはフィットするが、脇や腹部といった広い面積をサポートするにはパワー不足である。従って、細い臀溝には４〜７ｃｍ、前身頃の前面端部では５〜１０ｃｍとなるように幅を漸増させた方が表のシルエットに影響を及ぼすことなく、必要な部分を最低限必要な分量で締め付け、ヒップアップ効果を発揮することができる。
【００４５】
また、帯状のヒップアップ別布８を後身頃のヒップライン下から前身頃に向かい斜め上方に傾斜させるにあたっては、直線状ではなく、図２〜４に示すように曲線状に傾斜させることが好ましい。さらに、後身頃部分はヒップのラインに合わせた曲線、具体的には図３のように後から見たときに丸みのあるＷ字状とすることが好ましい。このようにすることでヒップの形状をより整えることができる。
【００４６】
また、図９及び１０のように帯状のヒップアップ別布８を内股６にまで接するようにして、後ろから見たときに円弧状とすることも好ましい。この場合は、ヒップアップ別布８が内股６に達していることから、ヒップを持ち上げる効果がより向上する。
【００４７】
本発明において裏地３の大きさは、表地の９９％〜８５％に設定されていることが好ましい。ここで裏地３の大きさとは、裏地３の幅および／または長さをいう。裏地３の大きさが表地の９９％〜８５％に設定されていることにより、裏地３がややひっぱられた状態で着用することができるため、サポート効果が向上する。また、表地との差寸分を裏地の伸長率でカバーできるため、常に裏地３が表地と人体との間で伸長された状態を保つことができる。ここでいう幅、長さとは、図６に示すように、縫製する前の型紙上で同じ部分を計測した結果を示す。図６は後身頃の部分の例であるが、幅は後中心線７から脇線４まで、長さは後中心線上でウエストラインから股下までである。そして、例えば、幅であれば表地の幅がＣｃｍであるのに対して、裏地３の幅がＤｃｍである、というように同じ位置を計測して割合を算出する。また、長さについては例えば後中心線７のカーブに沿って計測した表地の長さＥｃｍに対して裏地３の長さはＦｃｍである、というように縫い合わせる位置を計測して割合を算出する。ただし、その割合がいずれも表地の８５％より小さくなると、表地と裏地を一体化した時に裏地３が引きつれて、後身頃表地２の余り分がシワとなるため、非常に美観を損なう。また、表地と裏地３が同寸あるいは裏地３の方が大きくなる、すなわち表地の１００％以上になるとサポート感は全くなく、裏地３の余り分が人体と表地の間でシワとなり、着用快適性が著しく低下するので好ましくない。
【００４８】
さらに、図８に示すように裏地３をウエストラインの後中心線７から左右夫々れに５〜１０ｃｍ開放して開口部１４を設け、残り部分をウエストラインに表地に縫着することもヒップアップの効果を向上させるためには効果的である。
【００４９】
ウエストラインの後中心付近に開口部１４を設けることにより、着用した際に縫着箇所と開放箇所の間で左右方向に裏地３を引っ張り合う力が働き、次に裏地３とヒップ部を股下部分から上に引き上げる効果を醸し出す。この時、後中心線７から左右夫々れに１０ｃｍ以上開放すると、パンツの着脱の際に後身頃表地２と裏地３の間に手が入ったりして、破損の原因となる。また、左右夫々れに５ｃｍ以下では引き上げ効果が少ない。
【００５０】
ヒップアップの効果を確認するには、パンツを着用し、床面から腰の位置まで表示したメジャーのヨコに立ち、体側面からカメラ、好ましくはデジタルカメラで写真撮影を行う。その後、パソコン上で床面から臀部頂点の距離を測定する。この位置はパンツのデザインによっても変化する値であるので、全く同じサイズ、デザインのパンツで裏地３の有無により臀部頂点の位置の違いを差寸で表すことができる。もちろん、着用者も同一人物とする。
【００５１】
また、部位別の衣服圧を測定することにより、効果の有無を確認することができる。
【実施例】
【００５２】
以下、本発明を実施例および比較例を挙げてさらに具体的に説明するが、本発明はこれに限定されるものではない。なお、実施例および比較例において用いたパンツ表地および裏地の品質評価は次の方法で実施した。
【００５３】
（測定方法）
（１）伸長率
表地及び裏地の伸長率はＪＩＳ  Ｌ  １０９６「一般織物試験方法」のＡ法（定速伸長法）のストリップ法に準じて測定した。
【００５４】
すなわち、５ｃｍ×３０ｃｍの試験片をタテ、ヨコ方向にそれぞれ３枚ずつ採取した。自動記録装置付定速伸長形引張試験機を用い、つかみ間隔を２０ｃｍとし、試験片のたるみや張力を除いてつかみに固定した。引張速度２０ｃｍ／minで１４．７Ｎ（１．５kg）まで伸ばし、その時のつかみ間隔を測り、次の式により伸長率ＬＡ（％）を求め、３枚の平均で表した。
伸長率ＬＡ（％）＝［（Ｌ１−Ｌ）／Ｌ］×１００
Ｌ  ：つかみ間隔（ｍｍ）
Ｌ１：１４．７Ｎまで伸ばした時のつかみ間隔（ｍｍ）。
【００５５】
（２）伸長回復率
表地及び裏地の伸長回復率はＪＩＳ  Ｌ  １０９６「一般織物試験方法」のＡ法（繰り返し定速伸長法）のストリップ法に準じて測定した。
【００５６】
すなわち、５ｃｍ×３０ｃｍの試験片をタテ、ヨコ方向にそれぞれ３枚ずつ採取した。自動記録装置付定速伸長形引張試験機を用い、つかみ間隔を２０ｃｍとし、試験片のたるみや張力を除いてつかみに固定した。引張速度２０ｃｍ／minで別に求めた伸長率（前項ＬＡ）の値の８０％まで伸ばして、１分放置した後、同じ速度で元の位置まで戻し、３分間放置する。この操作を１０回繰り返した後、再び同じ速度で初荷重以上の荷重まで引き伸ばす。記録した荷重−伸長曲線から残留伸びを測り次式により伸長回復率ＬＢ（％）を求め、３枚の平均で表した。
伸長率ＬＢ（％）＝［（Ｌｂ１−Ｌｂ）／Ｌｂ］×１００
Ｌｂ  ：伸長率ＬＡの８０％の伸びに相当するチャート上の長さ（ｍｍ）
Ｌｂ１：１０回繰り返し伸長後の残留伸びに相当するチャートの長さ（ｍｍ）。
【００５７】
（３）破裂強力
裏地の破裂強力はＪＩＳ  Ｌ  １０１８「ニット生地試験方法」のＡ法（ミューレン形法）に準じて測定した。
【００５８】
すなわち、１５ｃｍ×１５ｃｍの試験片を５枚採取し、試験片の表を上にして張力を加えずに普通の状態で、ミューレン形破裂試験機のつかみに取り付けた。加圧用油を９８±４ｃｍ３／minの速度で増加させ、ゴム膜が突き破った瞬間に加圧を止めて、その時の圧力を読みとった。引き続き、つかみをゆるめて試験片を取り除いた時の指針の示すゴム膜の圧力を読みとった。下式により破裂強度を算出し、５枚の平均値で表した。
破裂強度（ｋＰａ）＝ａ−ｂ
ａ：ゴム膜が試験片を突き破った時の圧力
ｂ：試験片を取り除いた時のゴム膜の圧力。
【００５９】
（４）臀部頂点の位置
本文中に述べたように、着用中の写真を体側面からカメラで撮影し、パソコン上で床面から臀部頂点までの距離を測定する。３回の着用−撮影−測定の平均値を求めた。パンツのデザインにより変化する値であるので、全く同じサイズ、デザインのパンツで裏地の有無により臀部頂点の位置の違いを差寸で表す。着用者も同一人物で比較する。
なお、臀部頂点については、体側面の画像に頭部から床面に垂直に補助線を入れ、臀部で交わる点を臀部頂点とした。
【００６０】
（５）衣服圧の測定
（株）エイエムアイ製の接触圧測定器のエアパックセンサーを着用者の臀部頂点、臀溝（脚の付け根）、脇の合計３箇所に貼り付ける。その上にパンツを着用して静止状態３０秒、前屈運動３０秒時の衣服圧の変化を計測し、３回の衣服圧計測結果の平均値を求めた。パンツのデザインにより変化する値であるので、全く同じサイズ、デザインのパンツを同一人物が着用し、裏地の有無による衣服圧（ｋＰａ）の差寸を求め、３段階評価した。
【００６１】
（６）審美性、着心地、肌触りの状態評価
出来上がったパンツの審美性および着用感、運動機能性、ヒップアップ効果、締め付け効果について官能評価を実施した。その評価基準を表１に示す。
【００６２】
モニターは２０代から５０代の女性１０名で、着用した結果の平均点を各評価点数として示す。各評価点数の合計点数を総合評価とし、総合評価が大きいものほど優れていることを示す。
【００６３】
【表１】
2007204887.tif 000003
【００６４】
（実施例１）
タテ糸に綿６０番手双糸をヨコ糸に１６５デシテックスのＰＰＴを用い、２／１のツイル（綾織）に製織、染色仕上げした。こうして得られた織物の伸度はタテ８％ヨコ２５％、伸長回復率はタテ９２％ヨコ８５％であった。この表地の裏にポリウレタン繊維にナイロンをカバーリングした糸をラッセル編み機で編成した６コースサテンネットを、次の工程で縫着して婦人用パンツを得た。裏地の伸長率はタテ１４７％ヨコ４１％、伸長回復率はタテ９６％ヨコ８５％、破裂強力は２４０ｋＰａで、後身頃から前身頃ウエストラインに向かい斜め上方に傾斜した形状に裁断した。さらに裏地の内側に、後中心線で５ｃｍ幅、前身頃のウエストラインで８ｃｍ幅となるように漸増させ、ヒップ形状に合わせた曲線帯状のヒップアップ別布を、伸びを止めないように下糸にナイロンウーリー糸を用いて千鳥縫いミシンで縫着した。ヒップアップ別布の伸度はタテ１５６％ヨコ５３％、伸長回復率はタテ９６％ヨコ９４％、破裂強力は２９０ｋＰａのパワーネットを用いる。該ヒップアップ別布を縫着した裏地を内股部とウエストラインに縫着した。
【００６５】
この婦人用パンツの縫製仕様を表２に、縫製品を着用した時の審美性、着用感、運動機能性、ヒップアップ効果、締め付け効果について評価をした結果を表３に示した。
【００６６】
（実施例２）
タテ糸に綿５０番手双糸をヨコ糸に４４デシテックスの弾性糸に綿５０番手をカバーリングした糸を用い、平織物に製織、染色仕上げした。こうして得られた織物の伸度はタテ１２％ヨコ２８％、伸長回復率はタテ８５％ヨコ６５％であった。この表地の裏に実施例１と同様のサテンネットを裏地として用い、次の工程で縫着して紳士用パンツを得た。該パンツのポケット布は、伸長率がタテヨコ３％のスレーキを用い、前立て部分まで延長して縫目に縫着した。次に裏地を後身頃から前身頃ウエストラインに向かい斜め上方に傾斜した形状に裁断し、さらにその内側に実施例１と同様のパワーネットを使いヒップライン下から前身頃に向かい斜め上方に傾斜した形状のヒップアップ別布を縫い付けた。該ヒップアップ別布は後中心線で７ｃｍ幅、左右前端で１０ｃｍ幅となるように漸増させた曲線帯状とし、伸びを止めないように下糸にナイロンウーリー糸を用いて千鳥縫いミシンで裏地に縫い付けた。該ヒップアップ別布を縫着した裏地を、内股部とウエストライン、さらにポケット袋布の上に１５ｃｍ重ねて縫着した。こうして得られた紳士用パンツの縫製仕様を表２に、縫製品を着用した時の審美性、着用感、運動機能性、ヒップアップ効果、締め付け効果について評価をした結果を表３に示した。
【００６７】
（実施例３）
タテ糸、ヨコ糸にポリエステルとレーヨンの混紡糸で３／１のサテン（朱子織）に製織、染色仕上げした織物を表地に使用して婦人用のパンツを縫製した。織物の伸度はタテ２１％ヨコ２０％、伸長回復率はタテ９１％ヨコ８９％であった。この表地の裏にポリビニルピロリドンを練り込んだポリアミド繊維とポリウレタン繊維で編成したサテンネットを裏地として、またヒップアップ別布としてパワーネットを用いて婦人用パンツを得た。サテンネットの伸度はタテ１８０％ヨコ１０４％、伸長回復率はタテ９２％ヨコ９４％、破裂強力は２２６ｋＰａであった。パワーネットの伸長率はタテ１０９％ヨコ８５％、伸長回復率はタテ９７％ヨコ８９％、破裂強力は２８０ｋＰａであった。該パンツのポケット袋布は、伸長率がタテヨコ３％のスレーキを用い、前立て部分まで延長して縫目に縫着した。サテンネットを幅方向で表地の９３％、股上長さで９６％となるように後身頃から前身頃の一部を覆う形状に設計した後、幅方向に４分割、さらに股下部分も長さ方向に２分割して、各縫い合わせ線を曲線にして立体形状となるようにし、各縫い合わせ線を千鳥縫いで縫い合わせて一体化する。この時、着用中の破損を防止するため縫い合わせ線の裏側にヒップアップ別布用のパワーネットを１ｃｍ幅に裁断して補強テープとして同時に縫い付けた。さらにヒップライン下から前身頃ウエストラインに向かって帯状のヒップアップ別布を伸びを止めないように下糸にナイロンウーリー糸を用いて千鳥縫いミシンで裏地に縫い付けた。ヒップアップ別布は、後中心線で５ｃｍ幅、左右前端で８ｃｍ幅となるように漸増させた曲線帯状とする。該ヒップアップ別布を縫着した裏地を、内股部とウエストライン、さらにポケット袋布の上に１８ｃｍ重ねて縫着した。さらにヒップアップ別布に使用したパワーネットを幅２ｃｍ、長さ４ｃｍにカットして係止具とし、表地の脇縫目と対応する箇所の裏地に夫々れ縫着した。
【００６８】
こうして得られた婦人用パンツの縫製仕様を表２に、縫製品を着用した時の審美性、着用感、運動機能性、ヒップアップ効果、締め付け効果について評価をした結果を表３に示した。
【００６９】
（実施例４）
タテ糸に綿５０番手双糸をヨコ糸に４４デシテックスの弾性糸に綿５０番手をカバーリングした糸を１本交互に使用して２２Ｇの両面丸編機にて編成した。この両面丸編地を通常の丸編地の染色方法に準じ、染色仕上げした。こうして得られた編物の伸度はタテ６０％ヨコ１０５％、伸長回復率はタテ６５％ヨコ７５％であった。この表地の裏に次の工程で縫製した裏地を縫着して婦人用のパンツを縫製した。実施例３で用いたサテンネットを後身頃から前身頃ウエストラインに向かい斜め上方に傾斜した形状に裁断した。さらに裏地の内側に、実施例３で用いたパワーネットを後中心線で７ｃｍ幅、前身頃のウエストラインで９ｃｍ幅となるように漸増させた曲線帯状のヒップアップ別布として用い、伸びを止めないように偏平２本針ミシンで裏飾り糸ににナイロンウーリー糸を用いて裏地に縫着した。該ヒップアップ別布を縫着した裏地を内股部とウエストラインに縫着した。この時、後身頃の中心線から左右７ｃｍ間を開口部として縫着しないこととした。こうして得られた婦人用パンツの縫製仕様を表２に、縫製品を着用した時の審美性、着用感、運動機能性、ヒップアップ効果、締め付け効果について評価をした結果を表３に示した。
【００７０】
（比較例１）
実施例１で用いた織物を表地に使用して婦人用パンツを縫製した。裏地は付設しなかった。
【００７１】
こうして得られた婦人用パンツの縫製仕様を表２に、縫製品を着用した時の審美性、着用感、運動機能性、ヒップアップ効果、締め付け効果について評価をした結果を表３に示した。
【００７２】
（比較例２）
綿３０番手の紡績糸をタテ糸、ヨコ糸に用い、３／１のサテン（朱子織）に製織、染色仕上げした織物を表地に使用して紳士用パンツを縫製した。この織物の伸度はタテ５％ヨコ６％、伸長回復率はタテ９８％ヨコ９８％であった。該パンツのポケット布には、伸長率がタテヨコ３％のスレーキを用い、ポケット布の前端は縫着しないものとした。パンツの裏地には、伸度タテ９９％ヨコ７２％、伸長回復率はタテ６７％ヨコ７３％のトリコット編地を後身頃の臀部のみ覆う形状に裁断し、内股部と脇線で表地と縫着した。さらにヒップラインの下に２０ｃｍの帯状のヒップアップ別布を伸びを止めないように下糸にナイロンウーリー糸を用いて千鳥縫いミシンで裏地に縫い付けた。ヒップアップ別布の伸度はタテ１５６％ヨコ５３％、伸長回復率はタテ９６％ヨコ９４％のパワーネットを用いた
こうして得られた紳士用パンツの縫製仕様を表２に、縫製品を着用した時の審美性、着用感、運動機能性、ヒップアップ効果、締め付け効果について評価をした結果を表３に示した。
【００７３】
（比較例３）
５６デシテックスのポリエステル糸１００％の長繊維糸を使い２０Ｇ丸編機で編成し、通常の染色加工仕上げをして編地を得た。こうして得られた編物の伸度はタテ４０％ヨコ８０％、伸長回復率はタテ８８％ヨコ５５％であった。パンツのウエストはゴムで始末をした開きのないタイプのいわゆるジャージパンツとした。パンツの裏地には伸度タテ１０９％ヨコ８５％、伸長回復率はタテ９７％ヨコ８７％のパワーネットで、股部から上部を後身頃、前身頃ともに被うように２本の筒状に縫製し、ウエストゴム部で表地と縫着した。
【００７４】
こうして得られた婦人用パンツの縫製仕様を表２に、縫製品を着用した時の審美性、着用感、運動機能性、ヒップアップ効果、締め付け効果について評価をした結果を表３に示した。
【００７５】
【表２】
2007204887.tif 000004
【００７６】
【表３】
2007204887.tif 000005
【産業上の利用可能性】
【００７７】
本発明は、見た目が通常のパンツと変わらず、ヒップアップ効果があり、着用快適性に優れたパンツを提供することができる。
【図面の簡単な説明】
【００７８】
【図１】本発明のパンツの第一の態様を表からみた前身頃の図である。
【図２】本発明のパンツの第一の態様を裏（内側）からみた前身頃の図である。
【図３】本発明のパンツの第一の態様を裏（内側）からみた後身頃の図である。
【図４】本発明のパンツの第一の態様を股下と前中心縫目を解いた裏面（内側）展開図である。
【図５】本発明のパンツの第一の態様で使用する係止具の配置図である。
【図６】本発明のパンツの右後身頃の型紙上の幅、長さの計測例を示した図である。
【図７】本発明のパンツの第二の態様を裏（内側）からみた前身頃の図である。
【図８】本発明のパンツの第二の態様を裏（内側）からみた後身頃の図である。
【図９】本発明のパンツの第三の態様を股下と前中心縫目を解いた裏面（内側）展開図である。
【図１０】本発明のパンツの第三の態様を裏（内側）からみた後身頃の図である。
【符号の説明】
【００７９】
１  ：前身頃表地
２  ：後身頃表地
３  ：裏地
４  ：脇線
５  ：ウエストライン
６  ：内股
７  ：後中心線
８  ：ヒップアップ別布
９  ：前中心線（前立て部分）
１０  ：係止具
１１  ：ポケット布
１２  ：裏地の前面の端部
１３  ：裏地とポケット布の重なり部分
１４  ：開口部
１５  ：縫着糸
１６  ：脇縫代
Ａ  ：係止具の巾
Ｂ  ：係止具の長さ
Ｃ  ：後中心線と脇線上の表地の巾
Ｄ  ：Ｃと同位置での裏地の巾
Ｅ  ：ウエストラインから股下までの表地の長さ
Ｆ  ：Ｅと同位置での裏地の長さ
【図１】
2007204887.tif 000006
【図２】
2007204887.tif 000007
【図３】
2007204887.tif 000008
【図４】
2007204887.tif 000009
【図５】
2007204887.tif 000010
【図６】
2007204887.tif 000011
【図７】
2007204887.tif 000012
【図８】
2007204887.tif 000013
【図９】
2007204887.tif 000014
【図１０】
2007204887.tif 000015